(57)【要約】【課題】情報記録媒体に情報を記録する際に、使い勝手良く複数の表示手段に情報を記録する情報記録技術を提供する事にある。【解決手段】本発明は、複数の表示手段に情報を出力する際に、表示手段の状態に応じて異なる情報を出力することとする。例えば、モニタ通常状態では、モニタ１１５とビューファインダ１１６とに同じ情報を表示させ、モニタ反転状態では、モニタ１１５とビューファインダ１１６とに異なる情報を表示させる構成とする。【選択図】　図４
2004023410.tif 000002
【特許請求の範囲】
【請求項１】
情報を情報記録媒体に記録する情報記録装置において、
情報を表示する第１の表示手段と、
情報を表示する第２の表示手段と、
画像情報を取得する画像情報取得手段と、
前記画像情報取得手段から出力された画像情報または前記情報記録装置が有する情報に基き前記第１の表示手段と前記第２の表示手段とに表示させる情報を生成する表示情報生成手段とを有し、
前記第１の表示手段と前記第２の表示手段とに異なる情報を表示させることを特徴とする情報記録装置。
【請求項２】
請求項１に記載の情報記録装置であって、
前記第１の表示手段は可動であり、
前記情報記録装置は、前記第１の表示手段の移動状態に応じて、前記第１の表示手段と前記第２の表示手段とに異なる情報を表示させることを特徴とする情報記録装置。
【請求項３】
請求項２に記載の情報記録装置であって、
被写体の画像情報が入射されるレンズを有し、
前記情報記録装置は、前記第１の表示手段の表示画面が前記レンズ側を向いている場合には、前記第１の表示手段と前記第２の表示手段とに異なる情報を表示させ、前記第１の表示手段が前記レンズ側を向いていない場合には、前記第１の表示手段と前記第２の表示手段とに同じ情報を表示させることを特徴とする情報記録装置。
【請求項４】
請求項３に記載の情報記録装置であって、
前記被写体に近い順に、前記レンズ、前記第１の表示手段、及び前記第２の表示手段を配置したことを特徴とする情報記録装置。
【請求項５】
請求項１から４のいずれかに記載の情報記録装置であって、
前記第１の表示手段は、モニタであり、前記第２の表示手段は、ビューファインダであり、前記情報記録装置が有する情報は、撮影状態情報又はキャラクタ情報であることを特徴とする情報記録装置。
【請求項６】
情報を表示する第１の表示手段と情報を表示する第２の表示手段とを有する情報記録装置により情報を情報記録媒体に記録する情報記録方法において、
画像情報を取得し、
前記取得した画像情報または前記情報記録装置が有する情報に基き前記第１の表示手段と前記第２の表示手段とに異なる情報を表示させることを特徴とする情報記録方法。
【請求項７】
請求項６に記載の情報記録方法であって、
前記第１の表示手段は可動であり、
前記第１の表示手段の移動状態に応じて、前記第１の表示手段と前記第２の表示手段とに異なる情報を表示させることを特徴とする情報記録方法。
【請求項８】
請求項７に記載の情報記録方法であって、
前記情報記録装置は、被写体が入射するレンズを有し、
前記第１の表示手段の表示画面が前記レンズ側を向いている場合には、前記第１の表示手段と前記第２の表示手段とに異なる情報を表示させ、
前記第１の表示手段の表示画面が前記レンズ側を向いていない場合には、前記第１の表示手段と前記第２の表示手段とに同じ情報を表示させることを特徴とする情報記録方法。
【請求項９】
請求項８に記載の情報記録方法であって、
前記被写体に近い順に、前記レンズ、前記第１の表示手段、及び前記第２の表示手段を配置したことを特徴とする情報記録方法。
【請求項１０】
請求項６から９のいずれかに記載の情報記録方法であって、
前記第１の表示手段は、モニタであり、前記第２の表示手段は、ビューファインダであり、前記情報記録装置が有する情報は、撮影状態情報又はキャラクタ情報であることを特徴とする情報記録方法。
【発明の詳細な説明】
【０００１】
【発明の属する技術分野】
本発明は、情報記録媒体に情報を記録する情報記録技術に関する。特に、前記情報記録媒体に記録しようとする情報等を使い勝手良く記録する技術に関する。
【０００２】
【従来の技術】
従来より、情報記録装置の一つであるビデオカメラは、ＬＣＤ（Ｌｉｑｕｉｄ　Ｃｒｙｓｔａｌ　Ｄｉｓｐｌａｙ）等の表示手段を有している。その多くは、ビデオカメラ本体を撮影者が覗き込む形で被写体を見るビューファインダと、ビューファインダとは別のモニタとを共に装備している。モニタは、自由に角度を調整して、撮影者のみならず、撮影される側からも被写体を見ることが出来る。
【０００３】
【発明が解決しようとする課題】
ビューファインダは、主として撮影者が撮影の際にレンズより入射した画像情報等を把握するための表示手段であるのに対して、モニタは、主として撮影する者及び撮影される者がレンズより入射した画像情報等を把握するための表示手段である。しかし、従来のビデオカメラでは、一般的には、ビューファインダとモニタとに表示される内容は同じであったため、撮影する者が把握したい内容であるが撮影される者に不必要な内容がモニタに表示されるという問題や、逆に、撮影される者が把握したい内容であるが撮影する者に不必要な内容がビューファインダに表示されるという問題があった。
【０００４】
そこで、本発明の目的は、使い勝手の良い情報記録技術を提供する事にある。
【０００５】
【課題を解決するための手段】
情報を表示する第１の表示手段と情報を表示する第２の表示手段とを有する情報記録装置により情報を情報記録媒体に記録する技術であり、画像情報を取得し、
取得した画像情報または情報記録装置が有する情報とに基き第１の表示手段と第２の表示手段とに異なる情報を表示することを特徴とする情報記録技術とする。
【０００６】
【発明の実施の形態】
以下、本発明の第１の実施形態を説明する。なお、本実施形態において、情報記録装置は、光ディスクに画像情報や音声情報を記録するビデオカメラであるものとして説明をする。なお、ビデオカメラは、光ディスクに記録された情報を再生する事もできるが、本発明の本質ではないので、再生についての詳細な説明は省略する。
【０００７】
まず、本実施形態のビデオカメラの全体構成について図１を用いて説明する。図１において、レンズ１０１は、画像情報が入射されるレンズである。ＣＣＤ（Ｃｈａｒｇｅ　Ｃｏｕｐｌｅｄ　Ｄｅｖｉｃｅ）１０２は、レンズ１０１を通して得られた光情報としての画像情報を電気情報としての画像情報に変換する。Ａ／Ｄ（Ａｎａｌｏｇ／Ｄｉｇｉｔａｌ）変換器１０３は、ＣＣＤ１０２によって変換されたアナログ情報をデジタル情報に変換する。画像情報処理部１０４は、Ａ／Ｄ変換器１０３で変換されたデジタル情報を記憶し画像情報圧縮伸張部１０５に画像情報を出力する。表示手段１１５はモニタであり、表示手段１１６はビューファインダである。各々の表示手段は、画像情報処理部１０４から出力された表示情報を表示する。画像情報圧縮伸張部１０５は、画像情報処理部１０４から入力された画像情報をＭＰＥＧ（Ｍｏｔｉｏｎ　Ｐｉｃｔｕｒｅ　Ｅｘｐｅｒｔｓ　Ｇｒｏｕｐ）圧縮する。ＡＭＰ（Ａｍｐｌｉｔｕｄｅ　Ｍｏｄｕｌａｔｉｏｎ）部１０７は、マイク１０６からの音声情報を増幅する。Ａ／Ｄ変換器１０８は、ＡＭＰ部１０７で増幅された音声情報をデジタル情報に変換する。音声圧縮伸張部１０９は、マイク１０６により入力されＡ／Ｄ変換器１０８で変換されたデジタル情報をＭＰＥＧやドルビーディジタル等の圧縮を行う。多重／分離部１１０は、画像情報圧縮伸張部１０５と音声圧縮伸張部１０９から出力されるエレメンタリストリームをＭＰＥＧ方式に準拠したシステムストリームに多重する。ドライバ部１１１は、多重／分離部１１０が生成したシステムストリームを、光ディスク１１２の種類に応じて記録する。光ディスク１１２は、ドライバ部１１１によって記録される光ディスクである。指示情報入力部１１３は、記録等の指示を出力する。制御部１１４は、指示情報入力部１１３から入力された指示を判断し、これに基き画像処理部１０４、画像圧縮伸張部１０５、音声税圧縮伸張部１０９、多重多重／分離部１１０及びドライバ部１１１等を制御する。
【０００８】
ここで、図２において、ビデオカメラの外観について説明する。図２において、レンズ１０１より画像情報が入射される。レンズ１０１より入射した画像情報等に基いて生成された表示情報は、モニタ１１５やビューファインダ１１６へ表示される。ジョイント部２０１はビデオカメラ本体とモニタとを接続するものである。表示情報の詳細については後述する。
【０００９】
次に、図３においてモニタ１１５の位置状態について説明する。図３（１）は、モニタ１１５を開いた通常の状態を示している（以下、モニタ通常状態と呼ぶ）。図３（２）は、モニタ１１５を反転させて撮影される側から被写体を見ることが出来る状態を示している（以下、モニタ反転状態と呼ぶ）。ジョイント部２０１内には図示しないスイッチがあり、モニタ通常状態とモニタ反転状態とでスイッチがＯＮ／ＯＦＦするように設定されている。図１における制御部１１４は、このスイッチのＯＮ／ＯＦＦを判断することにより、モニタ１１５がモニタ通常状態かモニタ反転状態かを判断する。
【００１０】
本実施形態において、モニタ通常状態では、画像処理部１０４は、モニタ１１５とビューファインダ１１６と同一の表示情報を出力する。一方、モニタ反転状態では、画像処理部１０４は、モニタ１１５とビューファインダ１１６とに異なる表示情報を出力する。
【００１１】
次に、図４を用いて表示情報について説明する。図４は、モニタ通常状態とモニタ反転状態とにおける、モニタ１１５とビューファインダ１１６との表示情報の例を説明した図である。
【００１２】
図４において、図４（Ａ）は、撮影日や撮影モード等の撮影状態を示す撮影状態情報である。図４（Ｂ）は、レンズ１０１から入力された画像情報である。モニタ通常状態では、図４（１）に示したように、モニタ１１５及びビューファインダ１１６には画像情報と撮影状態情報との両方が表示情報として表示される。一方、モニタ反転状態では、図４（２）に示したように、モニタ１１５には画像情報のみが表示情報として表示され、ビューファインダ１１６には画像情報及び撮影状態情報が表示情報として表示される。
【００１３】
なぜなら、モニタ通常状態においてモニタ１１５とビューファインダ１１６とに表示されている内容を見るものは撮影者であるのに対して、モニタ反転状態において、モニタ１１５に表示されている内容を見る者とビューファインダ１１６に表示されている内容を見る者とは異なることが多いためである。
次に、図４に示したような表示情報を出力するためのビデオカメラの構成例について図８を用いて説明する。
図８は、図１における画像情報処理部１０４の構成を示した図である。図８において、ＯＳＤ（Ｏｎ　Ｓｃｒｅｅｎ　Ｄｉｓｐｌａｙ）メモリ８０１には前述の撮影状態情報が記憶されている。ＯＳＤメモリ８０１に記憶されている撮影状態情報は、撮影状態が変化すると、制御部１１４により記憶されている情報が更新される。画像情報メモリ８０２には、レンズ１０１から入射された画像情報が記憶されており、新しい画像情報が入力されるたびに逐次更新される。表示情報生成部８０３は、上記メモリに記録された情報を用い、モニタ１１５の状態に応じて、モニタ１１５及びビューファインダ１１６とに出力する表示情報を生成する。なお、図８において図１と同様のものについては同様の符号を付してある。
【００１４】
次に、図４に示したような表示情報を出力するためのビデオカメラの動作処理について図５及び図８を用いて説明する。
まず、制御部１１４は、ＯＳＤメモリ８０１に前述の撮影状態情報を記憶させる。次に、制御部１１４は、モニタ１１５がモニタ通常状態かモニタ反転状態かを前述のジョイント部２０１が有するスイッチのＯＮ／ＯＦＦにより判断する。次に、制御部１１４はモニタ１１５の状態に基き、制御部１１４が有する図５に示したテーブルを参照する。また、制御部１１４は、表示情報生成部８０３に図５に示したテーブルに従って、生成する表示情報の指示を出力する。ここで、図５（１）は、制御部１１４がモニタ１１５の状態が通常状態であると判断した場合の参照テーブルである。図５（２）は、制御部１１４がモニタ１１５の状態が反転状態であると判断した場合の参照テーブルである。次に、表示情報生成部８０３は、ＯＳＤメモリ８０１及び画像情報メモリ８０２が記憶している情報に基き表示情報を生成し、モニタ１１５及びビューファインダ１１６に生成した表示情報を出力する。
【００１５】
つまり、モニタ通常状態では、表示情報生成部８０３は、図５（１）のテーブルにあるように、ＯＳＤメモリ８０１と画像メモリ８０２とをＯＮにし、モニタ１１５及びビューファインダ１１６に、ＯＳＤメモリ８０１が記憶している撮影状態情報と画像メモリ８０２に記憶されている画像情報を表示情報として出力する。（図４（１）を参照）一方、モニタ反転状態では、表示情報生成部８０３は、図５（２）のテーブルにあるように、モニタ１１５に出力する表示情報を生成する際には、ＯＳＤメモリ８０１をＯＦＦにし、画像メモリ８０２をＯＮにする。これにより、モニタ１１５に、画像メモリ８０２が記憶している画像情報を表示情報として出力する。また、表示情報生成部８０３は、図５（２）のテーブルにあるように、ビューファインダ１１６に出力する表示情報を生成する際には、ＯＳＤメモリ８０１と画像メモリ８０２とをＯＮにする。これにより、ビューファインダ１１６にＯＳＤメモリ８０１が記憶している撮影状態情報と画像メモリ８０２が記憶している画像情報を表示情報として出力する。
【００１６】
以上により、図４に示したように、モニタの状態に応じて、モニタ１１５とビューファインダ１１６とに適した情報を表示する事が可能となる。
【００１７】
以上の様に、第１の実施形態においては、表示手段の状態に応じて、情報の内容を異ならせて複数の表示手段に表示するので、使い勝手のよい情報記録装置を提供することができる。
【００１８】
次に第２の実施形態について図６、図８、及び図９を用いて説明する。第２の実施形態では、モニタ１１５とビューファインダ１１６とに図９に示した表示情報を表示させる。つまり、図９（１）に示したようにモニタ通常状態ではモニタ１１５とビューファインダ１１６とには画像情報を表示情報として出力し、モニタ反転状態では、モニタ１１５にはキャラクタ情報を表示情報として出力し、ビューファインダ１１６には画像情報を表示情報として出力する。このような処理を行なわせるために、例えば、図８における制御部１１４は、図６に示したテーブルを有し、ＯＳＤメモリ８０１にはキャラクタ情報を記憶させ、画像メモリ８０２には画像情報を記憶させておく構成とすれば良い。図６において、図６（１）は、モニタ通常状態の際の表示情報の内容を示すテーブルであり、図６（２）は、モニタ反転状態の際の表示情報の内容を示すテーブルである。制御部１１４は、第１の実施形態と同様、モニタ１１５の状態をジョイント部２０１が有するスイッチのＯＮ／ＯＦＦにより判断し、これに基き、第１の実施例と同様に、図６に示したテーブルを参照し、表示情報生成部８０３にテーブルに応じた表示情報を生成させる。これにより、図９に示したように、モニタ１１５の状態に応じて、モニタ１１５とビューファインダ１１６とに適した表示情報を出力することができる。
【００１９】
以上のように、第２の実施形態では、モニタ反転状態では、画像情報を出力することなくキャラクタ情報を表示情報としてモニタに表示する。よって、例えば、撮影される者が子供である場合には、モニタに表示されたキャラクタに興味を持たせることで子供の関心を引き、子供をレンズに振り向かせ、子供の良い笑顔を引き出すことに寄与することができるという効果がある。よって、使い勝手の良い情報記録装置を提供することができる。
【００２０】
次に第３の実施形態について説明する。図７、図８及び図１０を用いて説明する。第３の実施形態では、モニタ１１５とビューファインダ１１６とに図１０に示した表示情報を表示させる。図１０に記載したように、本実施形態において、表示情報は撮影状態情報、キャラクタ情報及び画像情報の組み合わせで構成する。つまり、図１０（１）に示したようにモニタ通常状態ではモニタ１１５とビューファインダ１１６とには画像情報及び撮影状態情報を表示情報として出力し、モニタ反転状態では、モニタ１１５にはキャラクタ情報及び画像情報を表示情報として出力し、ビューファインダ１１６には画像情報及び撮影状態情報を表示情報として出力する。
【００２１】
このような処理を行なわせるために、例えば、図８における制御部１１４は、図７に示したテーブルを有し、図８に示したように画像処理部１０４は、ＯＳＤメモリ８０１とＯＳＤメモリ８０４とを有し、ＯＳＤメモリ８０１には撮影状態情報を記憶させ、ＯＳＤメモリ８０４にはキャラクタ情報を記憶させ、画像メモリ８０２には画像情報を記憶させておく構成とすれば良い。図７において、図７（１）は、モニタ通常状態の際の表示情報の内容を示すテーブルであり、図７（２）は、モニタ反転状態の際の表示情報の内容を示すテーブルである。制御部１１４は、第１の実施形態と同様、モニタ１１５の状態をジョイント部２０１が有するスイッチのＯＮ／ＯＦＦにより判断する。そして、第１の実施形態と同様に、制御部１１４は図７に示したテーブルを参照し、表示情報生成部８０３にテーブルに応じてＯＳＤメモリ８０１、ＯＳＤメモリ８０４及び画像メモリ８０２をＯＮ／ＯＦＦさせることにより表示情報を生成させる。
【００２２】
以上の様に、第３実施形態では図１０に示したように、モニタ１１５の状態に応じて表示情報を出力する。よって、例えば、撮影される者が子供である場合には、モニタに表示されたキャラクタに興味を持たせることで子供の関心を引き、子供をレンズに振り向かせ、子供の良い笑顔を引き出すことに寄与することができる。さらに、撮影者は撮影状態情報を把握することができる。よって、使い勝手の良い情報記録装置を提供する事ができる。
【００２３】
以上、第１から第３の実施形態においては、画像情報や音声情報の記録を開始した後の表示情報の生成処理について説明をした。しかし、画像情報や音声情報の記録開始前に第１から第３の実施形態において説明した表示情報の生成処理と同様の処理を行なっても良い。また、記録開始前と記録開始後とで表示情報の生成処理を異ならせてもよい。また、第１から第３の実施形態において、表示手段の状態に応じて異なる表示情報を出力する構成を説明したが、表示情報の内容はこれらに限られるものではない。また、表示情報を出力するための装置構成は上述の第１から第３の実施形態に限られるものではなく、表示手段の状態に応じて適した表示情報を出力できるものであれば良い。
【００２４】
【発明の効果】
本発明は、使い勝手の良く情報を記録することができる。
【図面の簡単な説明】
【図１】第１の実施形態のビデオカメラ全体構成を示す図である。
【図２】ビデオカメラの形態を示す図である。
【図３】モニタ１１５の状態を示す図である。
【図４】表示情報について説明するための図である。
【図５】制御部１１４が有するテーブルを説明する図である。
【図６】制御部１１４が有するテーブルを説明する図である。
【図７】制御部１１４が有するテーブルを説明する図である。
【図８】画像処理部１０４の構成例を示す図である。
【図９】表示情報について説明するための図である。
【図１０】表示情報について説明するための図である。
【符号の説明】
１０１・・・レンズ、１０２・・・ＣＣＤ、１０３・・・Ａ／Ｄ変換機変換器、１０４・・・画像画像情報処理部、１０５・・・画像画像情報圧縮伸張部、１０６・・・マイク、１０７・・・ＡＭＰ部、１０８・・・Ａ／Ｄ及びＤ／Ａ変換機変換器、１０９・・・音声圧縮伸張部、１１０・・・多重分離部多重／分離部、１１１・・・ドライバ部、１１２・・・光ディスク、１１３・・・指示情報入力部、１１４・・・制御部、１１５・・・モニタ、１１６・・・ビューファインダ、２０１・・・ジョイント部、８０１・・・ＯＳＤメモリ、８０２・・・画像メモリ、８０３・・・表示情報生成部、８０４・・・ＯＳＤメモリ
【図１】
2004023410.tif 000003
【図２】
2004023410.tif 000004
【図３】
2004023410.tif 000005
【図４】
2004023410.tif 000006
【図５】
2004023410.tif 000007
【図６】
2004023410.tif 000008
【図７】
2004023410.tif 000009
【図８】
2004023410.tif 000010
【図９】
2004023410.tif 000011
【図１０】
2004023410.tif 000012